(57)【要約】【課題】振動する弦を、ノイズを発生させることなく、適切に停止させることができるとともに、ダンパーフェルトの外観を良好に保つことができるピアノのダンパーを提供する。【解決手段】押鍵された鍵に連動して弦４に離接することにより、弦４の振動を許容または停止するピアノのダンパー１であって、弦４に対して離接する方向に移動自在のダンパーヘッド２と、フェルトから成り、ダンパーヘッド２の弦４側に取り付けられたダンパーフェルト３と、を備え、ダンパーフェルト３は、ダンパーヘッド２に取り付けられた硬質部３ａと、この硬質部３ａの弦４側に設けられ、硬質部３ａよりも柔らかくかつ弦４に当接する軟質部３ｂと、を有している。【選択図】図１
2013178339.tif 000002
【特許請求の範囲】
【請求項１】
押鍵された鍵に連動して弦に離接することにより、当該弦の振動を許容または停止するピアノのダンパーであって、
前記弦に対して離接する方向に移動自在のダンパーヘッドと、
フェルトから成り、前記ダンパーヘッドの前記弦側に取り付けられたダンパーフェルトと、を備え、
前記ダンパーフェルトは、
前記ダンパーヘッドに取り付けられた硬質部と、
この硬質部の前記弦側に設けられ、当該硬質部よりも柔らかくかつ前記弦に当接する軟質部と、を有していることを特徴とするピアノのダンパー。
【請求項２】
前記弦は、高音用の単一の鍵に対応し、互いに平行に延びかつ左右方向に並んだ状態に張設された３本の弦で構成され、
前記軟質部は、前記３本の弦に対向しかつ当該３本の弦に当接する平坦な当接面を有しており、
前記軟質部の厚さは、前記当接面が前記３本の弦に当接する際のノイズの発生を防止し、かつ前記ダンパーフェルトの左右方向へのゆがみを抑制し得るよう、当該ダンパーフェルトの全体の厚さに対し、所定の比率に設定されていることを特徴とする請求項１に記載のピアノのダンパー。
【請求項３】
前記硬質部は、所定の第１密度を有しており、
前記軟質部は、前記第１密度よりも小さい所定の第２密度を有し、前記硬質部に接着されていることを特徴とする請求項１または２に記載のピアノのダンパー。
【請求項４】
前記硬質部および前記軟質部は、同一の所定密度を有しており、
前記硬質部は、所定の硬化剤が注入されることによって、前記軟質部よりも硬化されていることを特徴とする請求項１または２に記載のピアノのダンパー。
【発明の詳細な説明】
【技術分野】
【０００１】
本発明は、グランドピアノなどのアコースティックピアノにおいて、押鍵された鍵に連動して弦に離接することにより、その弦の振動を許容または停止するピアノのダンパーに関する。
【背景技術】
【０００２】
従来、グランドピアノのダンパーとして、例えば特許文献１に開示されたものが知られている。このダンパーは、前後方向に延びるブロック状のダンパーヘッドと、その下面に取り付けられた前後２つのダンパーフェルトとを備えている。ダンパーヘッドは、上下方向に延びるダンパーワイヤの上端部に取り付けられており、そのダンパーワイヤは、下端部のダンパーワイヤフレンジを介して、前後方向に延びるダンパーレバーに取り付けられている。このダンパーレバーは、その後端部が、左右方向に延びる軸線を中心として回動自在に支持され、前端部が、前後方向に延びかつ中央部を支点として揺動自在の鍵の後端部に載置されている。そして、鍵が押鍵されていない状態、すなわち離鍵状態では、ダンパーは、対応する弦に対し、ダンパーフェルトが上方から当接した状態で、自重によってその弦を押圧している。
【０００３】
上記のピアノでは、鍵が押鍵されると、その鍵の後端部によって、ダンパーレバーが上方に回動駆動されることにより、ダンパーワイヤフレンジおよびダンパーワイヤが突き上げられ、それに伴い、ダンパーヘッドは、ダンパーフェルトと一体に上方に移動する。それにより、ダンパーフェルトが弦から離れ、その弦がハンマーで打弦されることによって振動し、これにより、ピアノ音が発生する。また、鍵が離鍵されると、ダンパーレバー、ダンパーワイヤフレンジおよびダンパーワイヤが、上記と逆方向に動作し、それに伴い、ダンパーヘッドおよびダンパーフェルトは、下方に移動して元の位置に戻る。これにより、ダンパーフェルトが弦を押さえることにより、その振動を停止させ、ピアノ音が停止する。
【０００４】
また、アコースティックピアノでは一般に、低音から高音の全音域にわたり、それぞれの音域用の弦が用いられ、それらの弦に適したダンパーが用いられている。具体的には、弦については、いずれも水平にかつ前後方向に延びるように張設され、低音側ほど太くて長く、低音側では１〜２本を、中音および高音側では３本を１組として、鍵ごとに設けられている。図３は、低音用、低中音用、中高音用および高音用の弦、ならびにそれらの弦用の４種類のダンパー１１を、左下から右上に順に示している。同図に示すように、これらの４種類のダンパー１１Ａ、１１Ｂ、１１Ｃおよび１１Ｄは、基本的な構成は同じであり、ダンパーヘッド１２と前後２つのダンパーフェルト１３、１３を有するとともに、両ダンパーフェルト１３、１３が弦１４に上方から当接する。なお、これらのダンパー１１では、通常、前後方向および高さの寸法が、高音側ほど小さくなっている。
【０００５】
図３に示すように、低音用のダンパー１１Ａでは、各ダンパーフェルト１３Ａの中央部に、前後方向に延びかつ下方に開放する凹部が形成されており、その凹部の内面が、低音用の太い１本の弦１４Ａに当接する。また、低中音用のダンパー１１Ｂでは、各ダンパーフェルト１３Ｂが、下方に向かって互いに接近するように形成された左右の傾斜面を有しており、両傾斜面が、低中音用の比較的太い２本の弦１４Ｂにそれぞれ当接する。さらに、中高音用のダンパー１１Ｃでは、各ダンパーフェルト１３Ｃが、下方に向かって互いに接近するように形成された左右の傾斜面を有するとともに、中央部に前後方向に延びかつ下方に開放する凹部を有しており、両傾斜面および凹部の内面が、中高音用の比較的細い３本の弦１４Ｃにそれぞれ当接する。さらにまた、高音用のダンパー１１Ｄでは、各ダンパーフェルト１３Ｄが、平坦な下面を有しており、その下面が、高音用の細い３本の弦１４Ｄにそれぞれ当接する。
【０００６】
上記のダンパー１１Ａ〜１１Ｄのうち、高音用のダンパー１１Ｄ以外のダンパー１１Ａ〜１１Ｃでは、振動時に比較的大きなエネルギーを有する弦１４Ａ〜１４Ｃの振動を適切に停止させるために、ダンパーフェルト１３Ａ〜１３Ｃには、比較的高密度で硬いフェルトが採用されている。一方、高音用のダンパー１１Ｄでは、振動時に比較的高い周波数で振動する弦１４Ｄを適切に停止させるために、ダンパーフェルト１３Ｄには、比較的低密度で柔らかいフェルトが採用されている。
【先行技術文献】
【特許文献】
【０００７】
【特許文献１】特開２００１−３１２２７２号公報
【発明の概要】
【発明が解決しようとする課題】
【０００８】
図４は、高音用のダンパー１１Ｄを示している。新品のダンパー１１Ｄでは、同図（ｂ）に示すように、ダンパーフェルト１３Ｄが適正な矩形の断面を有しており、その下面で３本の弦１４Ｄに適切に当接する。しかし、前述したように、ダンパーフェルト１３Ｄは、柔らかいフェルトで構成されており、しかも、ダンパーヘッド１２Ｄの自重や、弦１４Ｄへの繰り返しの押し付けなどにより、左右方向にゆがむおそれがある。特に、同図（ｃ）に示すように、ダンパーフェルト１３Ｄの下部、すなわち弦１４Ｄ側のゆがみが大きくなりやすく、この場合には、ダンパーフェルト１３Ｄの外観が悪くなり、３本の弦１４Ｄのすべてを押さえることができなくなることもある。もちろん、そのダンパーフェルト１３Ｄとして、前記のダンパー１１Ａ〜１１Ｃのダンパーフェルト１３Ａ〜１３Ｃと同様の硬いフェルトを採用すれば、上記のようなゆがみを防止することは可能である。しかしこの場合、硬いフェルトによって、振動する高音用の細い弦１４Ｄを押さえようとすると、その瞬間に、ノイズが発生してしまうという問題がある。
【０００９】
本発明は、以上のような課題を解決するためになされたものであり、振動する弦を、ノイズを発生させることなく、適切に停止させることができるとともに、ダンパーフェルトの外観を良好に保つことができるピアノのダンパーを提供することを目的とする。
【課題を解決するための手段】
【００１０】
上記の目的を達成するために、請求項１に係る発明は、押鍵された鍵に連動して弦に離接することにより、弦の振動を許容または停止するピアノのダンパーであって、弦に対して離接する方向に移動自在のダンパーヘッドと、フェルトから成り、ダンパーヘッドの弦側に取り付けられたダンパーフェルトと、を備え、ダンパーフェルトは、ダンパーヘッドに取り付けられた硬質部と、この硬質部の弦側に設けられ、硬質部よりも柔らかくかつ弦に当接する軟質部と、を有していることを特徴とする。
【００１１】
この構成によれば、弦に対して離接する方向に移動自在のダンパーヘッドに、フェルトから成るダンパーフェルトが取り付けられている。このダンパーフェルトは、ダンパーヘッドに硬質部が取り付けられる一方、その硬質部の弦側に、硬質部よりも柔らかくかつ弦に当接する軟質部が設けられている。したがって、このダンパーによって押さえられる弦が高音用である場合、その弦を、ダンパーフェルトの比較的柔らかい軟質部で押さえるので、硬いフェルトで押さえる場合と異なり、振動する弦を、ノイズを発生させることなく、適切に停止させることができる。また、ダンパーフェルトの厚さ（弦に対する離接方向の寸法）が従来と同じに設定される場合、軟質部の厚さは、硬質部の厚さの分、薄くなる。このため、ダンパーフェルト全体のゆがみが、従来に比べて少なくなる。その結果、従来のようなダンパーフェルトのゆがみを抑制でき、それにより、ダンパーフェルトの外観を良好に保つことができる。
【００１２】
請求項２に係る発明は、請求項１に記載のピアノのダンパーにおいて、弦は、高音用の単一の鍵に対応し、互いに平行に延びかつ左右方向に並んだ状態に張設された３本の弦で構成され、軟質部は、３本の弦に対向しかつ３本の弦に当接する平坦な当接面を有しており、軟質部の厚さは、当接面が３本の弦に当接する際のノイズの発生を防止し、かつダンパーフェルトの左右方向へのゆがみを抑制し得るよう、ダンパーフェルトの全体の厚さに対し、所定の比率に設定されていることを特徴とする。
【００１３】
この構成によれば、高音用の単一の鍵に対応する３本の弦が、互いに平行に延びかつ左右方向に並んだ状態に張設されており、これらの弦に、ダンパーフェルトの軟質部の平坦な当接面が当接する。この軟質部の厚さは、ダンパーフェルトの全体の厚さに対し、所定比率に設定されている。例えば、軟質部が所定比率よりも小さいことで、その厚さが薄い場合、ダンパーフェルトには硬質部の特性が強く反映され、そのダンパーフェルトで３本の弦を押さえる際にノイズが発生しやすい。一方、軟質部が所定比率よりも大きいことで、その厚さが厚い場合、ダンパーフェルトには軟質部の特性が強く反映され、そのダンパーフェルトの左右方向への大きなゆがみが発生しやすい。したがって、ダンパーフェルトの全体の厚さに対する軟質部の厚さを、所定比率に適切に設定することにより、上記のようなノイズの発生を防止できるとともに、上記のようなゆがみを効果的に抑制することができる。
【００１４】
請求項３に係る発明は、請求項１または２に記載のピアノのダンパーにおいて、硬質部は、所定の第１密度を有しており、軟質部は、第１密度よりも小さい所定の第２密度を有し、硬質部に接着されていることを特徴とする。
【００１５】
この構成によれば、ダンパーフェルトを製造する場合、硬質部として、所定の第１密度を有するフェルトを採用し、軟質部として、第１密度よりも小さい所定の第２密度を有するフェルトを採用する。そして、後者のフェルトを前者のフェルトに接着させる。これにより、硬質部および軟質部を有するダンパーフェルトを、容易に製造することができる。
【００１６】
請求項４に係る発明は、請求項１または２に記載のピアノのダンパーにおいて、硬質部および軟質部は、同一の所定密度を有しており、硬質部は、所定の硬化剤が注入されることによって、軟質部よりも硬化されていることを特徴とする。
【００１７】
この構成によれば、ダンパーフェルトを製造する場合、ダンパーフェルトとして、所定密度を有する単一のフェルトを採用し、そのフェルトに所定の硬化剤を注入することによって、フェルトを部分的に硬化させる。これにより、硬化剤が注入された部分が硬質部となり、硬化剤が注入されていない部分が軟質部となる。このように、硬質部および軟質部を有するダンパーフェルトを、単一のフェルトによって、比較的容易に製造することができる。
【図面の簡単な説明】
【００１８】
【図１】本発明の一実施形態によるグランドピアノの高音用のダンパーおよび弦を示す斜視図である。
【図２】（ａ）は図１のダンパーおよび弦を示す側面図、（ｂ）および（ｃ）はＡ−Ａ線で切断した断面図であり、ダンパーフェルトの変形の前後の状態をそれぞれ示す。
【図３】従来のグランドピアノに使用される４種類のダンパーおよび弦を示す斜視図である。
【図４】図３の高音用のダンパーおよび弦を示す図であり、（ａ）は側面図、（ｂ）および（ｃ）はＢ−Ｂ線で切断した断面図であり、ダンパーフェルトの変形の前後の状態をそれぞれ示す。
【発明を実施するための形態】
【００１９】
以下、図面を参照しながら、本発明の好ましい実施形態を詳細に説明する。図１および図２（ａ）は、本発明の一実施形態によるグランドピアノのダンパーを示している。両図に示すダンパー１は、高音用の弦に対応するものであり、その基本的な構成については、前述した高音用のダンパー１１Ｄと同様であり、そのダンパー１１Ｄに対し、ダンパーフェルト１３Ｄの構成のみが異なっている。
【００２０】
すなわち、ダンパー１は、ダンパーヘッド２と、２つのダンパーフェルト３、３とを備えている。ダンパーヘッド２は、木材や合成樹脂などから成り、前後方向（図１および図２（ａ）の左右方向）に所定長さ（例えば４０ｍｍ）延びるとともに、側面形状が山形状で左右方向（図１および図２（ａ）の奥行き方向）に所定の横幅（例えば１０．５ｍｍ）を有するブロック状に形成されている。また、ダンパーヘッド２の底面は、平坦に形成されており、その底面には、互いに前後方向に間隔を隔てて、前後２つのダンパーフェルト３、３が、接着によって取り付けられている。
【００２１】
各ダンパーフェルト３は、前後方向に所定長さ（例えば１５ｍｍ）延び、ダンパーヘッド２と同じ横幅を有するとともに、所定の厚さ（例えば１０〜１５ｍｍ）を有する直方体に形成されており、所定のフェルトから成る硬質部３ａと、この硬質部３ａの下面に接着され、所定のフェルトから成る軟質部３ｂとを有している。そして、軟質部３ｂの平坦な下面（当接面）が、互いに前後方向に平行に延びかつ左右方向に並んだ状態に張設された、所定の径（例えば０．９ｍｍ）を有する高音用の細い３本の弦４に、上方から当接している。
【００２２】
硬質部３ａは、前述した低音用から中高音用のダンパー１１Ａ〜１１Ｃのダンパーフェルト１３Ａ〜１３Ｃと同様の硬いフェルトで構成されており、より具体的には、比較的高い所定の密度（第１密度、例えば０．２ｇ／ｃｃ以上）を有している。一方、軟質部３ｂは、前述した高音用のダンパー１１Ｄのダンパーフェルト１３Ｄと同様の柔らかいフェルトで構成されており、より具体的には、硬質部３ａの密度よりも小さい所定の密度（第２密度、例えば０．１〜０．１４ｇ／ｃｃ）を有している。
【００２３】
また、図２（ｂ）に示すように、ダンパーフェルト３は、全体として所定の厚さＴを有しており、硬質部３ａの厚さＴａと軟質部３ｂの厚さＴｂが、所定比（例えばＴａ：Ｔｂ＝２：８〜８：２）に設定されている。つまり、この例の場合、軟質部３ｂの厚さＴｂは、ダンパーフェルト３の全体の厚さＴに対し、２０〜８０％の比率（所定の比率）に設定されている。
【００２４】
以上のように構成されたダンパー１は、前述した従来のダンパーと同様、ダンパーヘッド２が、上下方向に延びるダンパーワイヤの上端部に取り付けられ、そのダンパーワイヤの下端部のダンパーフレンジが、回動自在のダンパーレバーに取り付けられ、そのダンパーレバーが、揺動自在の鍵の後端部に載置されている。これにより、鍵が押鍵されると、ダンパー１が上方に移動し、ダンパーフェルト３が３本の弦４から離れる。そして、それらの弦４がハンマーで打弦されることによって振動し、ピアノ音が発生する。また、鍵が離鍵されると、ダンパー１が下方に移動して元の位置に戻り、ダンパーフェルト３の軟質部３ｂが３本の弦４を押さえることにより、それらの振動を停止させ、ピアノ音が停止する。
【００２５】
以上のように、本実施形態によれば、高音用のダンパー１におけるダンパーフェルト３が、硬いフェルトから成る硬質部３ａと、柔らかいフェルトから成る軟質部３ｂの２層で構成されるとともに、ダンパーフェルト３の全体の厚さＴに対する軟質部３ｂの厚さＴｂが所定の比率に設定されている。これにより、鍵の押鍵時に振動する３本の弦４を、ダンパーフェルト３の柔らかい軟質部３ｂで押さえるので、硬いフェルトで押さえる場合と異なり、ノイズを発生させることなく、適切に停止させることができる。加えて、ダンパーフェルト全体が柔らかいフェルトで構成される従来と異なり、軟質部３ｂの厚さは、硬質部３ａの厚さの分、薄くなるので、ダンパーフェルト３全体のゆがみが、従来に比べて少なくなる（図２（ｃ）参照）。その結果、従来のようなダンパーフェルトのゆがみを効果的に抑制でき、それにより、ダンパーフェルト３の外観を良好に保つことができる。
【００２６】
また、ダンパーフェルト３を製造する場合、硬質部３ａとして硬いフェルトを採用し、軟質部３ｂとして柔らかいフェルトを採用して、後者のフェルトを前者のフェルトに接着させる。これにより、硬質部３ａおよび軟質部３ｂを有するダンパーフェルト３を、容易に製造することができる。
【００２７】
なお、本発明は、説明した上記実施形態に限定されることなく、種々の態様で実施することができる。実施形態では、密度の高い硬いフェルトで構成された硬質部３ａに、密度の低い柔らかいフェルトで構成された軟質部３ｂを接着させることによって、ダンパーフェルト３を構成したが、例えば、密度の低い柔らかい単一のフェルトを採用し、その一部に所定の硬化剤（例えばエポキシ樹脂）を注入することによって、フェルトを部分的に硬化させるようにしてもよい。この場合には、硬化剤が注入された部分が硬質部３ａとなる一方、硬化剤が注入されていない部分が軟質部３ｂとなり、したがって、単一のフェルトによって、硬質部３ａおよび軟質部３ｂを有するダンパーフェルト３を、比較的容易に製造することができる。
【００２８】
また、逆に、密度の高い硬い単一のフェルトを採用し、その一部を針刺しすることなどによって、フェルトを部分的に軟化させるようにしてもよい。この場合には、針刺しされた部分が軟質部３ｂとなる一方、針刺しされていない部分が硬質部３ａとなり、上記と同様、単一のフェルトによって、硬質部３ａおよび軟質部３ｂを有するダンパーフェルト３を製造することが可能である。
【００２９】
さらに、実施形態では、ダンパーフェルト３の硬質部３ａおよび軟質部３ｂの密度、ならびにダンパーフェルト３の全体の厚さに対する軟質部３ｂの厚さの比率を例示したが、本発明はこれらに限定されるものではなく、ダンパーフェルト３が弦４に当接する際のノイズの発生を防止し、かつダンパーフェルト３の左右方向へのゆがみを抑制し得る機能を確保できれば、ダンパーフェルト３における上記の密度および比率を種々の値に設定することが可能である。また、実施形態では、ダンパーフェルト３を、硬質部３ａと軟質部３ｂの２層に構成したが、上記機能を確保できるものであれば、硬質部３ａおよび軟質部３ｂと異なる硬さを有するフェルトを追加し、ダンパーフェルト３を３層以上に構成してもよい。
【００３０】
さらに、実施形態では、本発明をグランドピアノのダンパーに適用した場合を例示したが、本発明はこれに限定されるものではなく、アップライトピアノにももちろん、適用することが可能である。また、実施形態で示したダンパー１、ダンパーヘッド２およびダンパー３の細部の構成などは、あくまで例示であり、本発明の趣旨の範囲内で適宜、変更することができる。
【符号の説明】
【００３１】
１    ダンパー
２    ダンパーヘッド
３    ダンパーフェルト
３ａ  硬質部
３ｂ  軟質部
４    弦
【図１】
2013178339.tif 000003
【図２】
2013178339.tif 000004
【図３】
2013178339.tif 000005
【図４】
2013178339.tif 000006